【事件の表示】
　特願２０１７−１５６８０２「ハンドヘルド医療超音波撮像デバイス、及び、携帯可能な医療超音波撮像デバイス」拒絶査定不服審判事件〔平成２９年１２月　７日出願公開、特開２０１７−２１３４２７〕について、次のとおり審決する。
【結　論】
　本件審判の請求は、成り立たない。
【理　由】
第１　手続の経緯
　本願は、２０１３年（平成２５年）３月２６日（パリ条約による優先権主張　２０１２年３月２６日　 米国、２０１２年９月２１日　 米国、２０１３年３月１５日　 米国）を国際出願日として出願した特願２０１５−５０３４７６号の一部を、平成２９年８月１５日に新たに出願したものであって、平成３０年４月２０日付けで拒絶理由が通知され、同年１１月８日付けで意見書及び手続補正書が提出され、同月２９日付けで拒絶査定（以下「原査定」という。）されたところ、平成３１年４月４日に拒絶査定不服審判の請求がなされ、同時に手続補正がなされたものである。
第２　平成３１年４月４日にされた手続補正についての補正の却下の決定
［補正の却下の決定の結論］
　平成３１年４月４日にされた手続補正（以下「本件補正」という。）を却下する。
［理由］
１　本件補正について
（１）本件補正後の特許請求の範囲の記載
　本件補正により、特許請求の範囲の請求項１の記載は、次のとおり補正された。（下線部は、補正箇所である。）
「　　【請求項１】
　フロントパネルを有するタブレット筐体と、
　少なくとも１つのプロセッサと少なくとも１つのメモリとを有する、前記タブレット筐体内のコンピュータと、
　超音波画像を表示するタッチスクリーンディスプレイと、
　トランスデューサーアレイを有するトランスデューサプローブ筐体と、
　前記トランスデューサプローブ筐体内に配置された超音波ビームフォーマー処理回路と、
　を備え、
　前記タッチスクリーンディスプレイは、前記フロントパネル上に配置され、
　前記タッチスクリーンディスプレイと前記コンピュータとは、前記タブレット筐体内のバッテリから電力を受け取り、
　前記タッチスクリーンディスプレイと前記超音波ビームフォーマー処理回路とは、前記コンピュータに通信可能に接続されており、
　前記コンピュータは、前記タッチスクリーンディスプレイからの第１のジェスチャ入力に呼応して、前記超音波ビームフォーマー処理回路の動作を変更するように動作可能であ
り
　ユーザが閲覧するための前記タッチスクリーンディスプレイには、タッチ動作される制御バーと、前記超音波画像が表示される表示領域とが配され、
　前記表示領域は、超音波画像が表示された前記表示領域の内部における１又は複数の超音波画像操作を制御するための複数のタッチ動作入力に反応する、
　ハンドヘルド医療超音波撮像デバイス。」
（２）本件補正前の特許請求の範囲
　本件補正前の、平成３０年１１月８日にされた手続補正により補正された特許請求の範囲の請求項１の記載は次のとおりである。
「　　【請求項１】
　フロントパネルを有するタブレット筐体と、
　少なくとも１つのプロセッサと少なくとも１つのメモリとを有する、前記タブレット筐体内のコンピュータと、
　超音波画像を表示するタッチスクリーンディスプレイと、
　トランスデューサーアレイを有するトランスデューサプローブ筐体と、
　前記トランスデューサプローブ筐体内に配置された超音波ビームフォーマー処理回路と、
　を備え、
　前記タッチスクリーンディスプレイは、前記フロントパネル上に配置され、
　前記タッチスクリーンディスプレイと前記コンピュータとは、前記タブレット筐体内のバッテリから電力を受け取り、
　前記タッチスクリーンディスプレイと前記超音波ビームフォーマー処理回路とは、前記コンピュータに通信可能に接続されており、
　前記コンピュータは、前記タッチスクリーンディスプレイからの第１のジェスチャ入力に呼応して、前記超音波ビームフォーマー処理回路の動作を変更するように動作可能である、
　ハンドヘルド医療超音波撮像デバイス。」
２　補正の適否
　本件補正は、「ユーザが閲覧するための前記タッチスクリーンディスプレイには、タッチ動作される制御バーと、前記超音波画像が表示される表示領域とが配され、前記表示領域は、超音波画像が表示された前記表示領域の内部における１又は複数の超音波画像操作を制御するための複数のタッチ動作入力に反応する」という限定を付加するものであって、補正前の請求項１に記載された発明と補正後の請求項１に記載される発明の産業上の利用分野及び解決しようとする課題が同一であるから、特許法１７条の２第５項２号の特許請求の範囲の減縮を目的とするものに該当する。
　そこで、本件補正後の請求項１に記載される発明（以下「本件補正発明」という。）が同条６項において準用する同法１２６条７項の規定に適合するか（特許出願の際独立して特許を受けることができるものであるか）について、以下、検討する。
（１）本件補正発明
　本件補正発明は、上記１（１）に記載したとおりのものである。
（２）引用文献の記載事項
ア　引用文献１について
（ア）引用文献１に記載された事項
　原査定の拒絶の理由で引用された本願の優先権主張の日（以下「優先日」という。）前に頒布された又は電気通信回線を通じて公衆に利用可能となった引用文献である、特表２００８−５１５５８３号公報（以下「引用文献１」という。）には、図面とともに、次の記載がある。（下線は、当審にて付した。以下同様。）
（引１ａ）「【００２３】
　図１を参照すると、本発明に基づく
超音波撮像システム１０は超音波スキャナ１２、超音波スキャナ１２を制御するための電気機械サブシステム１４、電気機械サブシステム１４を制御するための
コンピュータ１６ならびに超音波画像および仮想コントロールが表示されるタッチスクリーン１８を含む
電気機械サブシステム１４は、コンピュータソフトウェア、モニタおよびタッチスクリーンインターフェースとは別に超音波撮像システム１０の電気的および機械的な諸サブシステムを実装する
電気機械サブシステム１４は、超音波スキャナ１２を動作させ、そのインターフェースとなるための必要な構造を含む
【００２４】
　
コンピュータ１６は電気機械サブシステム１４とのインターフェースとなり、それを制御する必要なハードウェア
を含む
マイクロプロセッサ、メモリおよびインターフェースカードである
【００２５】
　
タッチスクリーン１８はコンピュータ１６に線でつながれたモニタ上に
実装され
タッチスクリーン１８は、超音波撮像プロセスの所望の制御変化を示すコマンド信号のコンピュータ１６による形成を可能にすることによって、超音波撮像システム１０に対する完全な制御を提供する
タッチスクリーン１８は
コンピュータ１６に対して、ユーザーがタッチスクリーン１８に指、スタイラスまたはその他の好適なデバイスで触れたという指標ならびにタッチの位置を提供する
タッチスクリーン１８のタッチの位置はコンピュータ１６による個別的な制御機能に関連付けられ
その制御機能はタッチスクリーン１８のタッチされた位置に表示されたものであり、コンピュータ１６はその関連付けられている制御機能を実行する。すなわち、電気機械サブシステム１４を制御するためのコマンド信号を生成することによって
【００２６】
　本発明のある重要な側面は、超音波撮像システム１０を制御するための入力は、ハードUIコンポーネント、たとえばボタン、トラックボール、機能キーおよびTGCポテンショメータなどにも、EL（電界発光）ディスプレイのような別個のソフトUIコンポーネントにも要求されないことである。そのようなハードおよびソフトUIコンポーネントによって実行される制御機能のすべては今や、超音波画像と一緒にタッチスクリーン１８上に表示される仮想コントロールによって表される。このように、データ入力のための別個のキーボードならびに他のハードUIコンポーネントの必要性はなくなっている。
【００２７】
　図２は、
超音波撮像システム１０の動作の間のタッチスクリーン１８上の仮想コントロールのレイアウト
視野２０の中に
超音波画像を視野２０の一部分にある一つまたは複数の重畳されたアクティブ化領域２２、２４、２６と一緒に表示する
アクティブ化領域２２、２４、２６は、キー、ボタン、トラックボールおよびTGCポテンショメータといったハードUIコントロールを含む超音波撮像システム１０の通常のコントロールを画面上の仮想デバイスとして実装したものを表す。
【００２８】
　コンピュータ１６は、視野２０上での超音波画像の全画面表示と、超音波画像および撮像モードに依存しうる選択されたアクティブ化領域２２、２４、２６の表示との間でユーザーがトグルすることを許容するようプログラム可能である。超音波画像およびアクティブ化領域２２、２４、２６が視野２０を共有するときには、コンピュータ１６はより小さな隠蔽されない画像を該画像の一つまたは複数の辺に置かれたアクティブ化領域２２、２４、２６とともに呈示するか、あるいは代替的にフルサイズの画像をその画像の上に任意的に半透明の形で重畳されたアクティブ化領域２２、２４、２６とともに呈示するようプログラム可能でありうる。これらの選択肢はシステムセットアップの間にユーザーが選好として設定しうる。異なる撮像モードは異なるアクティブ化領域２２、２４、２６の呈示につながり、また該アクティブ化領域２２、２４、２６についての異なるラベルにつながる。」
（引１ｂ）「【００３３】
　いくつかの例では、実行されるべき正確な機能を示すためには、ユーザーは
アクティブ化領域２２に
スライディング・タッチで
利得とラベル付けされたアクティブ化領域
上向きになぞるたびに
利得の上昇が引き起こされ
（引１ｃ）「【００５３】
　たとえば、
アクティブ化領域２２
グラフィック７０に
画像の水平／垂直並進を示すグラフィック記号を含み
このアクティブ化領域に触れると、そのアクティブ化領域は
ハイライトされた状態に変わる
画像の任意のところに触れてドラッグすることによって、その画像を視野２０内で水平方向または垂直方向に並進させ
アクティブ化領域２２は、
グラフィック７２に
画像回転のためのグラフィック記号を含み
このアクティブ化領域に触れられると、該アクティブ化領域は
ハイライトされた状態に代わり
画像の任意のところに触れてドラッグすることによって、その３Ｄ画像を視野２０内で水平軸または垂直軸のまわりに回転させうる
（引１ｄ）「【００５６】
　上記の
タッチスクリーン・ユーザーインターフェースは費用およびスペースが貴重な小型の可搬式超音波システムについて特に好適である
タブレットPCは前記ユーザーインターフェースのために理想的なアプリケーションである
【００５７】
　さらに、超音波スキャナは非常に小さくなってきており、本発明のある実装では、
超音波撮像システムは、標準的なインターフェース接続
および統合されたビーム形成機能をもつ超音波走査プローブと、前記走査プローブとのインターフェース接続をもつタブレットPCと、前記タブレットPCにおいてソフトウェアとして具現された上記のユーザーインターフェースであって、アクティブ化領域を形成し、前記タブレットPCの画面上に超音波画像を表示する機能をもったユーザーインターフェースとを含む
（引１ｅ）「図２
　　　　　　　　　　　　　　　　　　　　　　　　　　　　」
（イ）引用文献１に記載された発明
ａ　上記（引１ａ）〜（引１ｃ）及び（引１ｅ）より、引用文献１には、以下の技術事項が記載されている。
「超音波スキャナ１２、超音波スキャナ１２を制御するための電気機械サブシステム１４、電気機械サブシステム１４を制御するためのコンピュータ１６ならびに超音波画像および仮想コントロールが表示されるタッチスクリーン１８を含む超音波撮像システム１０において、
　電気機械サブシステム１４は、コンピュータソフトウェア、モニタおよびタッチスクリーンインターフェースとは別に超音波撮像システム１０の電気的および機械的な諸サブシステムを実装し、
　電気機械サブシステム１４は、超音波スキャナ１２を動作させ、そのインターフェースとなるための必要な構造を含み、
　コンピュータ１６は電気機械サブシステム１４とのインターフェースとなり、それを制御する必要なハードウェアであるマイクロプロセッサ、メモリおよびインターフェースカードを含み、
　タッチスクリーン１８はコンピュータ１６に線でつながれたモニタ上に実装され、
　タッチスクリーン１８は、超音波撮像プロセスの所望の制御変化を示すコマンド信号のコンピュータ１６による形成を可能にすることによって、超音波撮像システム１０に対する完全な制御を提供し、
　タッチスクリーン１８は、コンピュータ１６に対して、ユーザーがタッチスクリーン１８に指、スタイラスまたはその他の好適なデバイスで触れたという指標ならびにタッチの位置を提供し、
　タッチスクリーン１８のタッチの位置は、タッチスクリーン１８のタッチされた位置に表示されたコンピュータ１６による個別的な制御機能に関連付けられ、
　コンピュータ１６は電気機械サブシステム１４を制御するためのコマンド信号を生成することによってその関連付けられている制御機能を実行し、
　超音波撮像システム１０の動作の間のタッチスクリーン１８上の仮想コントロールのレイアウトは視野２０の中に超音波画像を視野２０の一部分にある一つまたは複数の重畳されたアクティブ化領域２２、２４、２６と一緒に表示し、
　アクティブ化領域２２、２４、２６は、キー、ボタン、トラックボールおよびTGCポテンショメータといったハードUIコントロールを含む超音波撮像システム１０の通常のコントロールを画面上の仮想デバイスとして実装したものを表し、
　アクティブ化領域２２は、利得とラベル付けされたアクティブ化領域を含み、この領域をスライディング・タッチで上向きになぞるたびに、利得の上昇が引き起こされ、
　アクティブ化領域２２は、画像の水平／垂直並進を示すグラフィック記号であるグラフィック７０を含み、このアクティブ化領域に触れると、そのアクティブ化領域はハイライトされた状態に変わり、画像の任意のところに触れてドラッグすることによって、その画像を視野２０内で水平方向または垂直方向に並進させ、
　アクティブ化領域２２は、画像回転のためのグラフィック記号であるグラフィック７２を含み、このアクティブ化領域に触れられると、該アクティブ化領域はハイライトされた状態に変わり画像の任意のところに触れてドラッグすることによって、その３Ｄ画像を視野２０内で水平軸または垂直軸のまわりに回転させる
超音波撮像システム１０。」
ｂ　上記（引１ｄ）には、「タッチスクリーン・ユーザーインターフェースは費用およびスペースが貴重な小型の可搬式超音波システムについて特に好適であ」って、「タブレットPCは前記ユーザーインターフェースのために理想的なアプリケーションであ」り、そのための「超音波撮像システムは、標準的なインターフェース接続および統合されたビーム形成機能をもつ超音波走査プローブと、前記走査プローブとのインターフェース接続をもつタブレットPCと、前記タブレットPCにおいてソフトウェアとして具現された上記のユーザーインターフェースであって、アクティブ化領域を形成し、前記タブレットPCの画面上に超音波画像を表示する機能をもったユーザーインターフェースとを含む」旨記載されているから、引用文献１には、以下の技術事項が記載されている。
「標準的なインターフェース接続および統合されたビーム形成機能をもつ超音波走査プローブと、
　前記走査プローブとのインターフェース接続をもつタブレットPCと、
　前記タブレットPCにおいてソフトウェアとして具現された上記のユーザーインターフェースであって、アクティブ化領域を形成し、前記タブレットPCの画面上に超音波画像を表示する機能をもったユーザーインターフェースとを含む
小型の可搬式超音波システムである超音波撮像システム。」
ｃ　上記ａにおける技術事項の「電気機械サブシステム１４」は、「超音波スキャナ１２を動作させ、そのインターフェースとなるための必要な構造を含」んでおり、また、上記ａにおける技術事項の「コンピュータ１６は電気機械サブシステム１４とのインターフェースとなり」、「タッチスクリーン１８はコンピュータ１６に線でつながれたモニタ上に実装され」ているから、上記ｂにおける技術事項の「小型の可搬式超音波システムである超音波撮像システム」における構成要素と、上記ａにおける技術事項の「超音波撮像システム１０」の構成要素を対応させると、上記ｂにおける技術事項の「標準的なインターフェース接続および統合されたビーム形成機能をもつ超音波走査プローブ」は、上記ａにおける技術事項の「電気機械サブシステム１４」及び「超音波スキャナ１２」からなるものであって、上記ｂにおける技術事項の「前記走査プローブとのインターフェース接続をもつタブレットPC」は、上記ａにおける技術事項の「コンピュータ１６」、「コンピュータ１６に線でつながれたモニタ」及び「モニタ上に実装され」た「タッチスクリーン１８」からなるものであり、上記ａにおける技術事項の「超音波撮像システム１０の動作の間のタッチスクリーン１８上の仮想コントロール」は、上記ｂにおける技術事項の「前記タブレットPCの画面上」の「ユーザーインターフェース」であるといえる。そして、上記ａにおける技術事項の「タッチスクリーン１８」は、「前記タブレットPCの画面上」に実装されていることは明らかである。
　そうすると、引用文献１には、以下の発明（以下「引用発明」という。）が記載されている。
「電気機械サブシステム１４及び超音波スキャナ１２からなる、標準的なインターフェース接続および統合されたビーム形成機能をもつ超音波走査プローブと、
　コンピュータ１６、コンピュータ１６に線でつながれたモニタ及びモニタ上に実装されたタッチスクリーン１８からなる、前記走査プローブとのインターフェース接続をもつタブレットPCと、
　前記タブレットPCにおいてソフトウェアとして具現された上記のユーザーインターフェースであって、アクティブ化領域を形成し、前記タブレットPCの画面上に超音波画像を表示する機能をもったユーザーインターフェースとを含む
小型の可搬式超音波システムである超音波撮像システムであって、
　電気機械サブシステム１４は、コンピュータソフトウェア、モニタおよびタッチスクリーンインターフェースとは別に超音波撮像システムの電気的および機械的な諸サブシステムを実装し、
　電気機械サブシステム１４は、超音波スキャナ１２を動作させ、そのインターフェースとなるための必要な構造を含み、
　コンピュータ１６は電気機械サブシステム１４とのインターフェースとなり、それを制御する必要なハードウェアであるマイクロプロセッサ、メモリおよびインターフェースカードを含み、
　タッチスクリーン１８は前記タブレットPCの画面上に実装され、
　タッチスクリーン１８は、超音波撮像プロセスの所望の制御変化を示すコマンド信号のコンピュータ１６による形成を可能にすることによって、超音波撮像システムに対する完全な制御を提供し、
　タッチスクリーン１８は、コンピュータ１６に対して、ユーザーがタッチスクリーン１８に指、スタイラスまたはその他の好適なデバイスで触れたという指標ならびにタッチの位置を提供し、
　タッチスクリーン１８のタッチの位置は、タッチスクリーン１８のタッチされた位置に表示されたコンピュータ１６による個別的な制御機能に関連付けられ、
　コンピュータ１６は電気機械サブシステム１４を制御するためのコマンド信号を生成することによってその関連付けられている制御機能を実行し、
　超音波撮像システムの動作の間のタッチスクリーン１８上の仮想コントロールのレイアウトは視野２０の中に超音波画像を視野２０の一部分にある一つまたは複数の重畳されたアクティブ化領域２２、２４、２６と一緒に表示し、
　アクティブ化領域２２、２４、２６は、キー、ボタン、トラックボールおよびTGCポテンショメータといったハードUIコントロールを含む超音波撮像システム１０の通常のコントロールを画面上の仮想デバイスとして実装したものを表し、
　アクティブ化領域２２は、利得とラベル付けされたアクティブ化領域を含み、この領域をスライディング・タッチで上向きになぞるたびに、利得の上昇が引き起こされ、
　アクティブ化領域２２は、画像の水平／垂直並進を示すグラフィック記号であるグラフィック７０を含み、このアクティブ化領域に触れると、そのアクティブ化領域はハイライトされた状態に変わり、画像の任意のところに触れてドラッグすることによって、その画像を視野２０内で水平方向または垂直方向に並進させ、
　アクティブ化領域２２は、画像回転のためのグラフィック記号であるグラフィック７２を含み、このアクティブ化領域に触れられると、該アクティブ化領域はハイライトされた状態に変わり画像の任意のところに触れてドラッグすることによって、その３Ｄ画像を視野２０内で水平軸または垂直軸のまわりに回転させる
小型の可搬式超音波システムである超音波撮像システム。」
イ　引用文献４について
（ア）引用文献４に記載された事項
　原査定の拒絶の理由で引用された本願の優先日前に頒布された又は電気通信回線を通じて公衆に利用可能となった引用文献である、特開２００５−１３７７４７号公報（以下「引用文献４」という。）には、図面とともに、次の記載がある。
（引４ａ）「【００１３】
　この
超音波診断装置は、
超音波診断装置の本体１１と、超音波プローブ１２と、超音波画像を表示し入力操作信号を入力する表示入力制御部１３と、
とから成る。
（引４ｂ）「【００１６】
　
表示入力制御部１３は、
画像を表示する表示部３１と、画像などに対する制御のための入力部３２
とから成る
【００１７】
　本発明は、上記
表示入力制御部１３の入力部３２における入力機構を
操作者の指の動きにより入力操作を可能とする
（引４ｃ）「【００２２】
　また図３に示すように、
操作者は表示部３１の画面上で、自己の人差し指を画面に押し付け、引っ張る（ドラッグ）ことにより、
アローカーソル３６を移動させることができ、更に引いていったあるところで、差し指３４を画面３５から離す（ドロップ）ことによってその位置にアローカーソル３６を固定することができ
【００２３】
　また、図４に示すように、
超音波診断装置の表示部３１の画面内の外縁、即ち超音波画像４１の横には、グラフィックユーザインターフェース（ＧＵＩ）のスイッチ４２が表示され
【００２４】
　そこで、上記のように操作者は例えばその
人差し指４５で、表示画面上のＧＵＩのスイッチ４２の１つに触れることにより、その触れたスイッチに対応するトグル操作（オン・オフを含む）を行い、対応するサブメニューを例えばプルダウンメニューとして表示させ、その中から選択できるようにすることができ
（引４ｄ）「【００２７】
  また、図６に示すように、
操作者は自己の人差し指６１を画面上のカラー関心領域（ＲＯＩ）６２の２次元画像辺部６３ａ，６３ｂに当ててドラッグすることにより、ＲＯＩを移動させることができ
操作者は、自己の人差し指７１をＲＯＩ７２の角７３ａ、７３ｂに当ててドラッグすることにより、ＲＯＩ７２を大きくしたり小さくしたりしてその大きさを変えることが可能となる
（イ）引用文献４に記載された技術事項
　上記（ア）より、引用文献４には、以下の技術事項（以下「技術事項４」という。）が記載されている。
「超音波診断装置の本体１１と、
　超音波プローブ１２と、
　超音波画像を表示し入力操作信号を入力する表示入力制御部１３とを含む超音波診断装置において、
　表示入力制御部１３は、画像を表示する表示部３１と、画像などに対する制御のための入力部３２とを含み、
　上記表示入力制御部１３の入力部３２における入力機構を、操作者の指の動きにより入力操作を可能とし、
　操作者は表示部３１の画面上で、自己の人差し指を画面に押し付け、引っ張る（ドラッグ）ことにより、アローカーソル３６を移動させることができ、更に引いていったあるところで、人差し指３４を画面３５から離す（ドロップ）ことによってその位置にアローカーソル３６を固定することができ、
　超音波診断装置の表示部３１の画面内の外縁、即ち超音波画像４１の横には、グラフィックユーザインターフェース（ＧＵＩ）のスイッチ４２が表示され、
　操作者は人差し指４５で、表示画面上のＧＵＩのスイッチ４２の１つに触れることにより、その触れたスイッチに対応するトグル操作（オン・オフを含む）を行い、対応するサブメニューを例えばプルダウンメニューとして表示させ、その中から選択できるようにすることができ、
　操作者は自己の人差し指６１を画面上のカラー関心領域（ＲＯＩ）６２の２次元画像辺部６３ａ，６３ｂに当ててドラッグすることにより、ＲＯＩを移動させることができ、
　操作者は、自己の人差し指７１をＲＯＩ７２の角７３ａ、７３ｂに当ててドラッグすることにより、ＲＯＩ７２を大きくしたり小さくしたりしてその大きさを変えることが可能となる
超音波診断装置。」
ウ　引用文献６について
（ア）引用文献６に記載された事項
　原査定の拒絶の理由で引用された本願の優先日前に頒布された又は電気通信回線を通じて公衆に利用可能となった引用文献である、特開２００３−１９０１５９号公報（以下「引用文献６」という。）には、図面とともに、次の記載がある。
（引６ａ）「【００１１】
【発明の実施の形態】図１は、本発明の一実施例に従った
携帯超音波システム５
ＰＤＡ装置１２０と、
含む
ハンドヘルドプローブアセンブリ２を
ＰＤＡ１２０はＰＤＡ１２０
に電力を供給するための内部バッテリを含む
【００１２】変換器モジュール１０は６４素子変換器アレイ２０と、６４チャネル／１６チャネルマルチプレクサ３０とを具備する。ビーム整形モジュール４０はパルサ６０と、ＴＸ／ＲＸ切り替えモジュール３５と、フォルダモジュール５０と、電圧制御増幅器（ＶＣＡ）７０と、アナログ／デジタル変換器（ＡＤＣ）８０と、ビーム整形ＡＳＩＣ９０と、ＰＤＡインタフェースコントローラ１００とを具備する。
ＰＤＡ装置１２０は、Ｗｉｎｄｏｗｓ−ＣＥ（商標）アプリケーションなどのＷｉｎｄｏｗｓ（商標）を実行し且つタッチスクリーン表示部１２５を有する
（イ）引用文献６に記載された技術事項
　上記（ア）より、引用文献６には、以下の技術事項（以下「技術事項６」という。）が記載されている。
「ＰＤＡ装置１２０と、ハンドヘルドプローブアセンブリ２とを含む携帯超音波システム５において、
　ＰＤＡ１２０はＰＤＡ１２０に電力を供給するための内部バッテリを含み、
　ＰＤＡ装置１２０は、Ｗｉｎｄｏｗｓ−ＣＥ（商標）アプリケーションなどのＷｉｎｄｏｗｓ（商標）を実行し且つタッチスクリーン表示部１２５を有する
携帯超音波システム５。」
（３）引用発明との対比
ア　本件補正発明と引用発明とを対比する。
ａ　引用発明の「小型の可搬式超音波システムである超音波撮像システム」は、本件補正発明の「ハンドヘルド医療超音波撮像デバイス」に相当する。
ｂ　引用発明の「コンピュータ１６、コンピュータ１６に線でつながれたモニタ及びモニタ上に実装されたタッチスクリーン１８からなる、前記走査プローブとのインターフェース接続をもつタブレットPC」は、通常、フロントパネルを有するタブレット筐体内に「コンピュータ１６」等を有しているものであるから、引用発明の「小型の可搬式超音波システムである超音波撮像システム」と、本件補正発明の「ハンドヘルド医療超音波撮像デバイス」とは、「フロントパネルを有するタブレット筐体」を備えている点で一致する。
ｃ　引用発明の「コンピュータ１６」は、上記ｂで検討したとおり、フロントパネルを有するタブレット筐体内にあるものであるから、引用発明の「マイクロプロセッサ、メモリを含」む「コンピュータ１６」は、本件補正発明の「少なくとも１つのプロセッサと少なくとも１つのメモリとを有する、前記タブレット筐体内のコンピュータ」に相当する。
ｄ　引用発明の「タッチスクリーン１８上」には、「視野２０の中に超音波画像を」「表示し」ているから、引用発明の「モニタ」及び「タッチスクリーン１８上」に、「視野２０の中に超音波画像を」「表示」する「モニタ上に実装されたタッチスクリーン１８」は、本件補正発明の「超音波画像を表示するタッチスクリーンディスプレイ」に相当する。
ｅ　引用発明の「超音波スキャナ１２」は、本件補正発明の「トランスデューサーアレイ」に相当する。そして、引用発明の「電気機械サブシステム１４及び超音波スキャナ１２からなる、標準的なインターフェース接続および統合されたビーム形成機能をもつ超音波走査プローブ」は、通常筐体内に「電気機械サブシステム１４及び超音波スキャナ１２」を有しているものであるから、引用発明の「超音波スキャナ１２」を有する「超音波走査プローブ」の筐体は、本件補正発明の「トランスデューサーアレイを有するトランスデューサプローブ筐体」に相当する。
ｆ　引用発明の「電気機械サブシステム１４は、コンピュータソフトウェア、モニタおよびタッチスクリーンインターフェースとは別に超音波撮像システム１０の電気的」「サブシステムを実装し」、「超音波スキャナ１２を動作させ」るものであって、上記ｅのとおり、引用発明の「ビーム形成機能をもつ超音波走査プローブ」は、通常筐体内に「電気機械サブシステム１４」を有しているものであるから、引用発明の「統合されたビーム形成機能をもつ超音波走査プローブ」の筐体内に配置された「電気機械サブシステム１４」が「実装」する「超音波スキャナ１２を動作させ」る「電気的」「サブシステム」は、本件補正発明の「前記トランスデューサプローブ筐体内に配置された超音波ビームフォーマー処理回路」に相当する。
ｇ　引用発明の「モニタ」及び「モニタ上に実装されたタッチスクリーン１８」は、「タブレットPC」においては、通常フロントパネル上にあるものであるから、引用発明の「モニタ」及び「モニタ上に実装されたタッチスクリーン１８」と、本件補正発明の「前記タッチスクリーンディスプレイ」とは、「前記フロントパネル上に配置され、」ている点で一致する。
ｈ　引用発明の「コンピュータ１６」は、「モニタ」と「線でつながれ」ており、「タッチスクリーン１８」は「モニタ上に実装され」ている。また、引用発明の「コンピュータ１６は電気機械サブシステム１４とのインターフェースとな」る「インターフェースカードを含」んでいるから、「電気機械サブシステム１４」が「実装」する「超音波スキャナ１２を動作させ」る「電気的」「サブシステム」は、「コンピュータ１６」に接続されているといえる。
　すると、引用発明の「モニタ」及び「モニタ上に実装されたタッチスクリーン１８」及び「電気機械サブシステム１４」が「実装」する「超音波スキャナ１２を動作させ」る「電気的」「サブシステム」と、本件補正発明の「前記タッチスクリーンディスプレイと前記超音波ビームフォーマー処理回路」とは、「前記コンピュータに通信可能に接続されて」いる点で一致する。
ｉ　引用発明の「タッチスクリーン１８」は、「コンピュータ１６に対して、ユーザーがタッチスクリーン１８に指、スタイラスまたはその他の好適なデバイスで触れたという指標ならびにタッチの位置を提供し」、また、引用発明の「コンピュータ１６は電気機械サブシステム１４を制御するためのコマンド信号を生成することによってその関連付けられている制御機能を実行し」ている。そして、この「電気機械サブシステム１４を制御するためのコマンド信号」は、「タッチスクリーン１８」から提供される「タッチスクリーン１８のタッチの位置に表示された制御機能に関連付けられ」た信号である。
　すると、引用発明の「コンピュータ１６」は、「タッチスクリーン１８」からの「タッチスクリーン１８のタッチの位置に表示された制御機能に関連付けられ」た「コマンド信号」によって、「電気機械サブシステム１４を制御する」ものであるといえる。
　また、引用発明は、「アクティブ化領域２２は、利得とラベル付けされたアクティブ化領域を含み、この領域をスライディング・タッチで上向きになぞるたびに、利得の上昇が引き起こされ」ることから、引用発明の「コンピュータ１６に対して、ユーザーがタッチスクリーン１８に指、スタイラスまたはその他の好適なデバイスで触れたという指標ならびにタッチの位置」の情報は、「スライディング・タッチ」というジェスチャによって生成されたものであるから、引用発明の「コンピュータ１６に対して、ユーザーがタッチスクリーン１８に指、スタイラスまたはその他の好適なデバイスで触れたという指標ならびにタッチの位置」の情報を提供する「スライディング・タッチ」は、本件補正発明の「前記タッチスクリーンディスプレイからの第１のジェスチャ入力」に相当する。そして、引用発明の「電気機械サブシステム１４」の「制御」は、「タッチスクリーン１８」からの「タッチスクリーン１８のタッチの位置に表示された制御機能に関連付けられ」た「コマンド信号」によるものであるから、引用発明の「コンピュータ１６」は、「スライディング・タッチ」により、「電気機械サブシステム１４を制御する」ものであるといえる。
　そうすると、引用発明の「コンピュータ１６」は、「スライディング・タッチ」により、「電気機械サブシステム１４を制御する」ことは、本件補正発明の「コンピュータは、前記タッチスクリーンディスプレイからの第１のジェスチャ入力に呼応して、前記超音波ビームフォーマー処理回路の動作を変更するように動作可能であ」ることに相当する。
ｊ　引用発明の「アクティブ化領域２２、２４、２６は、キー、ボタン、トラックボールおよびTGCポテンショメータといったハードUIコントロールを含む超音波撮像システム１０の通常のコントロールを画面上の仮想デバイスとして実装したものを表し」ているから、引用発明の「アクティブ化領域２２、２４、２６」の、「超音波撮像システム１０の通常のコントロールを画面上の仮想デバイスとして実装したもの」は、本件補正発明の「タッチ動作される制御バー」に相当する。そして、引用発明は「超音波撮像システムの動作の間のタッチスクリーン１８上の仮想コントロールのレイアウトは視野２０の中に超音波画像を視野２０の一部分にある一つまたは複数の重畳されたアクティブ化領域２２、２４、２６と一緒に表示し」ており、これらの表示は、ユーザーが閲覧するためのもであるから、引用発明の「モニタ」及び「モニタ上に実装されたタッチスクリーン１８」と、本件補正発明の「タッチスクリーンディスプレイ」とは、「ユーザが閲覧するための前記タッチスクリーンディスプレイには、タッチ動作される制御バーと、前記超音波画像が表示される表示領域とが配され」ている点で一致する。
イ　以上のことから、本件補正発明と引用発明との一致点及び相違点は、次のとおりである。
（一致点）
「フロントパネルを有するタブレット筐体と、
　少なくとも１つのプロセッサと少なくとも１つのメモリとを有する、前記タブレット筐体内のコンピュータと、
　超音波画像を表示するタッチスクリーンディスプレイと、
　トランスデューサーアレイを有するトランスデューサプローブ筐体と、
　前記トランスデューサプローブ筐体内に配置された超音波ビームフォーマー処理回路と、
　を備え、
　前記タッチスクリーンディスプレイは、前記フロントパネル上に配置され、
　前記タッチスクリーンディスプレイと前記超音波ビームフォーマー処理回路とは、前記コンピュータに通信可能に接続されており、
　前記コンピュータは、前記タッチスクリーンディスプレイからの第１のジェスチャ入力に呼応して、前記超音波ビームフォーマー処理回路の動作を変更するように動作可能であり、
　ユーザが閲覧するための前記タッチスクリーンディスプレイには、タッチ動作される制御バーと、前記超音波画像が表示される表示領域とが配された
　ハンドヘルド医療超音波撮像デバイス。」
（相違点１）「前記タッチスクリーンディスプレイと前記コンピュータ」への電力の供給が、本件補正発明は、「前記タブレット筐体内のバッテリから」行われているのに対して、引用発明は、そのような特定がない点。
（相違点２）「前記表示領域」が、本件補正発明は、「超音波画像が表示された前記表示領域の内部における１又は複数の超音波画像操作を制御するための複数のタッチ動作入力に反応する」のに対し、引用発明は、「アクティブ化領域２２は、画像の水平／垂直並進を示すグラフィック記号であるグラフィック７０を含み、このアクティブ化領域に触れると、そのアクティブ化領域はハイライトされた状態に変わり、画像の任意のところに触れてドラッグすることによって、その画像を視野２０内で水平方向または垂直方向に並進させ」、また、「アクティブ化領域２２は、画像回転のためのグラフィック記号であるグラフィック７２を含み、このアクティブ化領域に触れられると、該アクティブ化領域はハイライトされた状態に変わり画像の任意のところに触れてドラッグすることによって、その３Ｄ画像を視野２０内で水平軸または垂直軸のまわりに回転させる」ものであって、「視野２０内」の「超音波画像」を「水平／垂直並進」、又は、「水平軸または垂直軸のまわりに回転」させる制御が、「画像の任意のところに触れてドラッグする」ことにより行われているが、この「画像」が、「視野２０内」の「超音波画像」を指しているのか、「アクティブ化領域２２」にある「グラフィック７０」又は「グラフィック７２」を指しているのか不明であるから、引用発明は「視野２０内」の「超音波画像」の操作を、「画像の任意のところに触れてドラッグする」という「超音波画像」が表示されている領域のタッチ動作入力によるものであるか不明である点。
（４）判断
ア　相違点について
　以下、上記相違点１及び２について検討する。
（ア）　相違点１について
　技術事項６の「ＰＤＡ装置１２０は、Ｗｉｎｄｏｗｓ−ＣＥ（商標）アプリケーションなどのＷｉｎｄｏｗｓ（商標）を実行」するものであるから、技術事項６の「ＰＤＡ装置１２０」は、その筐体内にコンピュータを有していることは明らかである。そして、技術事項６の「内部バッテリ」は、「ＰＤＡ装置１２０」の筐体内にあるから、技術事項６の「内部バッテリ」は、「ＰＤＡ装置１２０」の「タッチスクリーン表示部１２５」及び「ＰＤＡ装置１２０」内のコンピュータへの電力の供給を行っていることは明らかである。そして、技術事項６の「ＰＤＡ装置１２０」や、引用発明の「タブレットPC」等の可搬型で小型のＰＣは、通常、コンセントなどの外部電源の無い環境で使用することを想定しているものであって、可搬型で小型のＰＣが、バッテリを備えることは常套手段にすぎないから、技術事項６のように、筐体内にバッテリを有し、このバッテリが、ディスプレイやコンピュータ等の可搬型で小型のＰＣ内の各機器への電力の供給を行う構成は、周知技術であったといえる。
　すると、引用発明の「タブレットPC」に、該周知技術を適用し、引用発明の「タブレットPC」内にバッテリを備え、引用発明の「モニタ」及び「モニタ上に実装されたタッチスクリーン１８」と「コンピュータ１６」とは、この「タブレットPC」内のバッテリから電力を受け取る構成とすることは、当業者が容易に想到できたものであるといえるから、上記相違点１に係る構成は、引用発明及び周知技術より当業者が容易になし得たものである。
（イ）　相違点２について
ａ　技術事項４の「超音波画像を表示し入力操作信号を入力する表示入力制御部１３」は、「上記表示入力制御部１３の入力部３２における入力機構を、操作者の指の動きにより入力操作を可能とし、操作者は表示部３１の画面上で、自己の人差し指を画面に押し付け、引っ張る（ドラッグ）ことにより、上記アローカーソル３６を移動させることができ、更に引いていったあるところで、差し指３４を画面３５から離す（ドロップ）ことによってその位置にアローカーソル３６を固定することができ」るものであるから、本件補正発明の「タッチスクリーンディスプレイ」に相当する。
ｂ　技術事項４は、「操作者は人差し指４５で、表示画面上のＧＵＩのスイッチ４２の１つに触れることにより、その触れたスイッチに対応するトグル操作（オン・オフを含む）を行い、対応するサブメニューを例えばプルダウンメニューとして表示させ、その中から選択できるようにすることができ」るものであるから、技術事項４の「表示画面上のＧＵＩのスイッチ４２」は、本件補正発明の「タッチ動作される制御バー」に相当する。そして、技術事項４は、「超音波診断装置の表示部３１の画面内の外縁、即ち超音波画像４１の横には、グラフィックユーザインターフェース（ＧＵＩ）のスイッチ４２が表示され」ているから、技術事項４の「表示入力制御部１３」には、「ＧＵＩのスイッチ４２」と「超音波画像４１」が表示され、「超音波画像４１」は、「超音波画像を表示」する領域に表示されているから、技術事項４の「表示入力制御部１３」には、「ＧＵＩのスイッチ４２」と「超音波画像４１」が表示されることは、本件補正発明の「前記タッチスクリーンディスプレイには、タッチ動作される制御バーと、前記超音波画像が表示される表示領域とが配され」ることに相当する。
ｃ　技術事項４は、「操作者は自己の人差し指６１を画面上のカラー関心領域（ＲＯＩ）６２の２次元画像辺部６３ａ，６３ｂに当ててドラッグすることにより、ＲＯＩを移動させることができ、操作者は、自己の人差し指７１をＲＯＩ７２の角７３ａ、７３ｂに当ててドラッグすることにより、ＲＯＩ７２を大きくしたり小さくしたりしてその大きさを変えることが可能となる」ものであって、「カラー関心領域（ＲＯＩ）６２」及び「ＲＯＩ７２」は、共に「超音波画像４１」内にあることは明らかである。そして、「ＲＯＩを移動させること」及び「ＲＯＩ７２を大きくしたり小さくしたりしてその大きさを変えること」は、本件補正発明の「１又は複数の超音波画像操作を制御すること」に相当する。
　すると、技術事項４の「ＲＯＩを移動させる」ために「自己の人差し指６１を画面上のカラー関心領域（ＲＯＩ）６２の２次元画像辺部６３ａ，６３ｂに当ててドラッグすること」及び「ＲＯＩ７２を大きくしたり小さくしたりしてその大きさを変える」ために「自己の人差し指７１をＲＯＩ７２の角７３ａ、７３ｂに当ててドラッグすること」は、本件補正発明の「超音波画像が表示された前記表示領域の内部における１又は複数の超音波画像操作を制御するための複数のタッチ動作入力」に相当する。
　そして、技術事項４は、「自己の人差し指６１を画面上のカラー関心領域（ＲＯＩ）６２の２次元画像辺部６３ａ，６３ｂに当ててドラッグすることにより、ＲＯＩを移動させ」、また、「自己の人差し指７１をＲＯＩ７２の角７３ａ、７３ｂに当ててドラッグすることにより、ＲＯＩ７２を大きくしたり小さくしたりしてその大きさを変える」から、技術事項４の「超音波画像４１」が表示された領域は、「自己の人差し指６１を画面上のカラー関心領域（ＲＯＩ）６２の２次元画像辺部６３ａ，６３ｂに当ててドラッグすること」及び「自己の人差し指７１をＲＯＩ７２の角７３ａ、７３ｂに当ててドラッグすること」に反応するといえる。
　よって、技術事項４の「自己の人差し指６１を画面上のカラー関心領域（ＲＯＩ）６２の２次元画像辺部６３ａ，６３ｂに当ててドラッグすることにより、ＲＯＩを移動させること」及び「自己の人差し指７１をＲＯＩ７２の角７３ａ、７３ｂに当ててドラッグすることにより、ＲＯＩ７２を大きくしたり小さくしたりしてその大きさを変えること」は、本件補正発明の「前記表示領域は、超音波画像が表示された前記表示領域の内部における１又は複数の超音波画像操作を制御するための複数のタッチ動作入力に反応する」ことに相当する。
ｄ　上記ａ〜ｃより、技術事項４は、本件補正発明の「前記タッチスクリーンディスプレイには、タッチ動作される制御バーと、前記超音波画像が表示される表示領域とが配され、前記表示領域は、超音波画像が表示された前記表示領域の内部における１又は複数の超音波画像操作を制御するための複数のタッチ動作入力に反応する」構成を有しているといえる。
　すると、引用発明の「視野２０の中に超音波画像を視野２０の一部分にある一つまたは複数の重畳されたアクティブ化領域２２、２４、２６と一緒に表示」する構成に対し、技術事項４の上記構成を適用し、「視野２０の中」の「超音波画像」が表示された領域は、「視野２０の中」の「超音波画像」が表示された領域の内部における１又は複数の「超音波画像」の操作を制御するための複数のタッチ動作入力に反応する構成とすることは、当業者が容易に想到できたことであるといえる。
ウ　効果について
　本件補正発明の効果は、引用文献１、４及び６に記載された技術の奏する作用効果から予測される範囲内のものにすぎず、格別顕著なものということはできない。
エ　小括
　したがって、本件補正発明は、引用発明、技術事項４及び周知技術に基づいて、当業者が容易に発明をすることができたものであり、特許法２９条２項の規定により、特許出願の際独立して特許を受けることができないものである。
３　本件補正についてのむすび
　よって、本件補正は、特許法１７条の２第６項において準用する同法１２６条７項の規定に違反するので、同法１５９条１項の規定において読み替えて準用する同法５３条１項の規定により却下すべきものである。
　よって、上記補正の却下の決定の結論のとおり決定する。
第３　本願発明について
１　本願発明
　平成３１年４月４日にされた手続補正は、上記のとおり却下されたので、本願の請求項に係る発明は、平成３０年１１月８日にされた手続補正により補正された特許請求の範囲の請求項１〜１９に記載された事項により特定されるものであるところ、その請求項１に係る発明（以下「本願発明」という。）は、その請求項１に記載された事項により特定される、前記第２［理由］１（２）に記載のとおりのものである。
２　原査定の拒絶の理由
　原査定の拒絶の理由は、この出願の請求項１〜１９に係る発明は、本願の優先日前に日本国内又は外国において、頒布された又は電気通信回線を通じて公衆に利用可能となった下記の引用文献１〜７に記載された発明に基づいて、その優先日前にその発明の属する技術の分野における通常の知識を有する者が容易に発明をすることができたものであるから、特許法２９条２項の規定により特許を受けることができない、というものである。
引用文献１.特表２００８−５１５５８３号公報
引用文献２.特表２００９−５２５５３８号公報
引用文献３.特開２０１２−０２４１３３号公報
引用文献４.特開２００５−１３７７４７号公報
引用文献５.特開２０１０−２２０２１８号公報
引用文献６.特開２００３−１９０１５９号公報
引用文献７.特開２０１１−２００４８２号公報
３　引用文献
　原査定の拒絶の理由で引用された引用文献１の記載事項及び引用発明は、前記第２の［理由］２（２）アに記載したとおりである。
４　対比・判断
　本願発明は、前記第２の［理由］２で検討した本件補正発明から、「ユーザが閲覧するための前記タッチスクリーンディスプレイには、タッチ動作される制御バーと、前記超音波画像が表示される表示領域とが配され、前記表示領域は、超音波画像が表示された前記表示領域の内部における１又は複数の超音波画像操作を制御するための複数のタッチ動作入力に反応する」という限定事項を削除したものである。
　そうすると、本願発明と引用発明との相違点は、相違点１のみとなり、前記第２の［理由］２（４）ア（ア）に記載したとおり、上記相違点１に係る構成は、引用発明及び周知技術より当業者が容易に想到をすることができたものであるから、本願発明は、引用発明及び周知技術に基づいて、当業者が容易に発明をすることができたものである。
第４　むすび
　以上のとおり、本願発明は、特許法２９条２項の規定により特許を受けることができないから、他の請求項に係る発明について検討するまでもなく、本願は拒絶されるべきものである。
　よって、結論のとおり審決する。